(57)【要約】【課題】フレキシブルホースのキャビネット内部でのあばれを抑制しながら、漏水の危険性を低減した水栓装置を提供することである。  【解決手段】  本発明は、水栓本体と、水栓本体と着脱可能に設けられる吐水部と、水栓本体から下流側に伸びる２次側流路と、吐水部と２次側流路とを接続するホースと、ホースと、２次側流路とを接続する接続部と、ホースをガイドするガイド部材と、を備え、ガイド部材は、接続部とは別体で構成されると共に、接続部に固定されていることを特徴とする。【選択図】  図４
2020159159.tif 000002
【特許請求の範囲】
【請求項１】
水栓本体と、
前記水栓本体と着脱可能に設けられる吐水部と、
前記水栓本体から下流側に伸びる２次側流路と
前記吐水部と前記２次側流路とを接続するホースと、
前記ホースと、前記２次側流路とを接続する接続部と、
前記ホースをガイドするガイド部材と、を備え、
前記ガイド部材は、前記接続部とは別体で構成されると共に、前記接続部に固定されていることを特徴とする水栓装置。
【請求項２】
前記ガイド部材は、前記ホースの端部と前記２次側流路の端部との間に回転可能に保持されていることを特徴とする請求項１に記載の水栓装置。
【請求項３】
前記２次側流路と、前記ホースとは、いずれか一方が、他方に挿入されることで接続されており、
一方が開口部と、他方が係止部を夫々有し、
固定部材を、前記開口を通じて前記係止部に固定することによって、前記２次側流路と前記ホースとを互いに固定することを特徴とする請求項２に記載の水栓装置。
【発明の詳細な説明】
【技術分野】
【０００１】
本発明は、水栓装置に係り、特に吐水部を着脱可能な水栓装置に関する発明である。 
【背景技術】
【０００２】
従来、吐水部を着脱可能に設けた水栓装置が知られている。この種の水栓装置においては、水栓本体にて混合した湯水を下方に延伸する金属管へと通水し、この金属管と着脱可能な吐水部との間を、可撓性を有する所謂フレキシブルホースで接続することが一般的に行われている。
【０００３】
この際、吐水部の着脱や、吐水部を取り外した状態での取り回しによって、水栓本体を設置したキャビネット内部でフレキシブルホースが暴れてしまうという現象が発生する恐れがある。このことを抑制するために、フレキシブルホースの動きを制限するホースガイドと呼ばれる部材を設けることが提案されている。（たとえば、特許文献２参照。）
【０００４】
さらに、このホースガイドの一部に流路の機能を持たせて、ホースと金属管との間に設けた構造が提案されている（たとえば、特許文献２参照。）。しかしながら、ホースガイドは前述のように、フレキシブルホースが暴れることを抑制する役目をもっており、フレキシブルホースに掛かる力や衝撃によっては、破損してしまう恐れがある。ホースガイドに流路の機能を持たせた場合、ホースガイドが破損すると、漏水につながれる恐れがあった。
【先行技術文献】
【特許文献】
【０００５】
【特許文献１】特許４６９４６７９号公報
【特許文献２】特許５９２０９８７号公報
【発明の概要】
【発明が解決しようとする課題】
【０００６】
本発明は、上記問題を解決するためになされたもので、本発明の課題は、フレキシブルホースのキャビネット内部でのあばれを抑制しながら、漏水の危険性を低減した水栓装置を提供することである。
【課題を解決するための手段】
【０００７】
上記目的を達成するための請求項１記載の発明は、水栓本体と前記水栓本体と着脱可能に設けられる吐水部と、前記水栓本体から下流側に伸びる２次側流路と前記吐水部と前記２次側流路とを接続するホースと、前記ホースと、前記２次側流路とを接続する接続部と、前記ホースをガイドするガイド部材と、を備え、前記ガイド部材は、前記接続部とは別体で構成されると共に、前記接続部に固定されていることを特徴とする。
【０００８】
ガイド部材が接続部に固定されていることによって、ガイド部材自身の移動も抑制されるため、可撓性を有するホース（フレキシブルホース）が暴れることをより効率的に抑制することができるようになる。また、万が一、ガイド部材が破損するような事態が生じても、ガイド部材が２次側流路やホースと別体で構成されているため、漏水が発生する恐れがない。
【０００９】
また、好ましくはさらに、前記ガイド部材は、前記ホースの端部と前記２次側流路の端部との間に回転可能に保持されている。
【００１０】
ガイド部が、接続部に対して回転可能に設けられていることによって、吐水部を引き出した状態で左右に振るなどした場合であっても、ホースをスムーズに移動させることが出来、使い勝手を向上できる。
【００１１】
また、好ましくはさらに、前記２次側流路と、前記ホースとは、いずれか一方が、他方に挿入されることで接続されており、一方が開口部と、他方が係止部を夫々有し、固定部材を、前記開口を通じて前記係止部に固定することによって、前記２次側流路と前記ホースとを互いに固定する。
【００１２】
このように構成することによって、ホースと２次側流路を固定部材を挿入するだけで固定することが出来るようになる。また、ガイド部材がホースと２次側流路との間に保持されているので、固定部材を挿入することによって、自動的にガイド部材の保持も行えるようになる。
【発明の効果】
【００１３】
本発明によれば、フレキシブルホースのキャビネット内部でのあばれを抑制しながら、漏水の危険性を低減することができる。
【図面の簡単な説明】
【００１４】
【図１】本発明の実施例における水栓本体１を示す外観斜視図である。
【図２】本発明の実施例における２次側流路１２とフレキシブルホース２０との接続の様子を示す断面図である。
【図３】本発明の実施例における２次側流路１２とフレキシブルホース２０の分解斜視図である。
【図４】本発明の実施例における２次側流路１２とフレキシブルホース２０の分解断面図である。
【発明を実施するための形態】
【００１５】
以下、本発明を実施するための実施例について、図を交えながら説明を行う。
図１は、本発明の実施例における水栓装置１の外観斜視図である。水栓装置１はキッチンにて利用され、吐水部２を引き出すことが出来る所謂プルアウトタイプのキッチン水栓である。
【００１６】
水栓装置１は供給される湯水の混合及び吐止水機能を内蔵した水栓本体１０と、この水栓本体１０にて混合された湯水が流出する２次側流路１２とから形成されている。水栓装置１０は図示していない給水源および給湯源と夫々接続された、水供給路１４および湯供給路１６が接続されており、これらの供給路によって、湯・水が水栓本体１０へと流入する構造となっている。
【００１７】
水栓本体１０には所謂シングルレバーカートリッジと呼ばれる湯水混合機能部が内蔵されており、レバーハンドル１８を上下に動かすことによって、止水〜吐水流量の調整を、水平面で回動させることによって温度（湯・水の混合比）の調整を、夫々行うことができる。
【００１８】
また、水栓装置１は水栓本体１０に着脱可能に係止する形で吐水部２を有している。この吐水部２は２次側流路１２との間を可撓性を有する所謂フレキシブルホース２０で接続されている。図１に示すフレキシブルホース２０は一度図外に及んでいるが、吐水部２と２次側流路１２を単一のホースで接続している。
【００１９】
２次側流路１２とフレキシブルホース２０との間には、ガイド部材３が設けられている。このガイド部材３は２次側流路１２に対して、回転可能に保持されており、その先端部に設けられたガイド孔３０にフレキシブルホース２０を貫通保持している。
【００２０】
このガイド部材３によって、フレキシブルホース２０の移動範囲が制限されており、吐水部２を引き出した状態で動かしたとしても、フレキシブルホース２０がキャビネット内部で暴れることを抑制することができる。
【００２１】
また、フレキシブルホース２０のうち、ガイド孔３０よりも下方位置には、おもり２２が設けられている。引き出された吐水部２は、フレキシブルホース２０を通じてこのおもり２２の重量によって元の位置に戻ろうと引き寄せられることになる。これにより、吐水部２を着脱、特に取り付ける際の使い勝手が向上することになる。
【００２２】
さらに、おもり２２の外形はガイド孔３０の内径よりも大きく形成されている。このことによって、おもり２２はガイド孔３０を越えて移動することが出来ず、必然的にフレキシブルホース２０の引き出し量、つまり吐水部２の引き出し量を規制することが出来るようになる。
【００２３】
なお、ガイド部３を射出成形で成形する場合、金型同士のあわせ面のズレによって、どうしてもパーティングラインと呼ばれる線状の凸部が形成されてしまう。このパーティングラインをフレキシブルホース２０が動く際に接触しやすい上下方向の端部ではなく、上下方向の中央に設けるように金型を構成することによって、パーティングラインによるフレキシブルホース２０の削れなどを抑制することが出来るようになる。
【００２４】
図２に本発明の実施例における２次側流路１２とフレキシブルホース２０との接続の様子の断面図を示す。２次側流路１２の端部には接続部１２０が形成されている。この接続部１２０に対して、フレキシブルホース２０の先端に設けられた挿入部２００を挿入することによって、両者は接続される。
【００２５】
なお、挿入部２００には先端側にＯリング２０２が設けられており、このＯリング２０２が接続部１２０の内周側と接触して軸シールすることによって、両者が水密に接続されて、２次側流路１２を流れてきた湯水が漏水することなく、フレキシブルホース２０へと流入するように構成されている。
【００２６】
図３に本発明の実施例における２次側流路１２とフレキシブルホース２０の分解斜視図を、図４に分解断面図を、それぞれ示す。ガイド部材３はガイド孔３０と逆側の端部に、接続穴３２を有している。この接続孔３２の内周面にはフランジ３４が内側へ張り出すように形成されている。
【００２７】
接続部１２０はその側面に開口１２２を有している。また、挿入部２００は、Ｏリング２０２より根元側に溝２０４（係止部）を有している。図２に示すように、挿入部２００を、接続部１２０に挿入した状態において、溝２０４は開口１２２から臨めるように位置している。この状態で、固定部材４を外周側から開口１２２を通じて溝２０４に噛ませることによって、２次側流路１２と、フレキシブルホース２０が互いに動かないように固定される。
【００２８】
このとき、接続部１２０の端部１２４と挿入部２００の肩部２０６によって、フランジ３４が挟持されることによって、ガイド部材３が接続１２０に対して固定される。また、肩部２０６はワッシャ２０８を備えており、これにより、ガイド部材３が２次側流路１２に対して、回転自在に固定されるように構成されている。吐水部２を引き出した状態で水栓本体１０に対して左右に振るなどした場合であっても、ガイド部材３が回転可能でることによって、フレキシブルホース２０の移動を妨げることがない。これにより、吐水部２を動かす際に余計な負荷がかかり難く、使い勝手を向上させることができる。
【００２９】
以上、本発明の実施例について図面を用いながら説明を行った。しかし、本発明はこれら実施例に限定されるものではない。すなわり、これら実施例に対して、当業者が適宜設計変更を加えたものも、本発明の特徴を備えている限り、本発明の範囲に包含される。
【符号の説明】
【００３０】
１  水栓装置
１０  水栓本体
１２  ２次側流路
１２０  接続部
１２２  開口
１２４  端部
１４  水供給路
１６  湯供給路
１８  レバーハンドル
２  吐水部
２０  フレキシブルホース（ホース）
２００  挿入部
２０２  Ｏリング
２０４  溝
２０６  肩部
２０８  ワッシャ
２２  おもり
３  ガイド部材
３０  ガイド孔
３２  接続孔
３４  フランジ部
４  固定部材
【図１】
2020159159.tif 000003
【図２】
2020159159.tif 000004
【図３】
2020159159.tif 000005
【図４】
2020159159.tif 000006